(57)【要約】【課題】  適正なセットアップを実施するために必要な光量を確保しつつ、光検出部におけるオーバーフローを回避して適正なセットアップを行うことが可能な画像読取装置を提供する。【解決手段】  制御部１２ａは、画像読取装置１１においてセットアップを行う際には、ＣＣＤ１２１Ｒ・１２１Ｇ・１２１Ｂにおいて検出される光量が所定の蓄積光量になるようにＬＥＤ素子１１１Ｒ・１１１Ｇ・１１１Ｂの消灯あるいは点灯のタイミングを制御する。【選択図】      図５
2006352501.tif 000002
【特許請求の範囲】
【請求項１】
フィルムに対して光を照射して透過した光の量を検出して前記フィルムに現像された画像を読み取る画像読取装置であって、
前記フィルムに対して光を照射する光源装置と、
前記フィルムを透過した光の量を検出するとともに、セットアップを行う際には前記光源装置から照射される光を直接検出する光検出部と、
前記セットアップを行う際には、前記光検出部において検出される光の量が所定の蓄積光量になるように、前記光源装置における光の照射開始および照射停止の少なくとも一方のタイミングを制御する制御部と、
を備えている画像読取装置。
【請求項２】
前記制御部は、前記光源装置における光の照射開始のタイミングだけを制御する、
請求項１に記載の画像読取装置。
【請求項３】
前記制御部は、前記光源装置における光の照射停止のタイミングだけを制御する、
請求項１に記載の画像読取装置。
【請求項４】
前記光源装置は、ＲＧＢの各色に対応する光源を有しており、
前記制御部は、前記各色に対応する光源ごとに前記セットアップを行う、
請求項１から３のいずれか１項に記載の画像読取装置。
【請求項５】
前記光源装置は、ＲＧＢの各色に対応する光源を有しており、
前記光源は、前記光検出部における前記各色の検出感度に対応する数だけ配置されている、
請求項１から３のいずれか１項に記載の画像読取装置。
【発明の詳細な説明】
【技術分野】
【０００１】
本発明は、フィルムに対して光を照射して透過した光を検出してフィルムに現像された画像を読み取る画像読取装置に関する。
【背景技術】
【０００２】
従来より、例えば、ネガフィルムやポジフィルム等に対して光源から光を照射し、その透過光を電荷結合素子（ＣＣＤ：Charge Coupled Device）に結像させて画像を読み取る画像読取装置が用いられている。
このような画像読取装置では、フィルムに現像された画像をカラー画像として取得する場合には、例えば、Ｒ・Ｇ・Ｂの３色にそれぞれ対応する複数の発光ダイオード（以下、ＬＥＤと示す）素子等の光源が用いられる。
【０００３】
例えば、特許文献１には、フィルムに現像された画像を適正に取得するために、所定期間経過毎に、セットアップ用のフィルタを用いて適正光量調整、色バランス調整、シェーディング調整等を含むセットアップを行う画像読取装置が開示されている。なお、このセットアップ用のフィルタとしては、例えば、実際に画像を読み取る対象となるフィルムが有する光透過率特性および色バランス特性と同等の特性を有するフィルタが用いられる。
【０００４】
これにより、実際のフィルムと同等の特性を有するセットアップ用のフィルタをセットして光源から光を照射することで適正な調整を行うとともに、光検出部におけるオーバーフローの発生を防止することができる。
しかし、このようなセットアップ用のフィルタを用いたセットアップ方法では、セットアップを実施するたびにセットアップ用のフィルタを取り付ける必要があるため、セットアップに要する時間が長くなってしまう。また、ムラのない均一なセットアップ用フィルタを作製した場合には、コストアップの要因となるという問題がある。さらに、セットアップ用のフィルタは、経時変化によってセットアップを行うたびに少しずつ特性が変化してしまうおそれがある。
【０００５】
そこで、特許文献２には、セットアップ用のフィルタを使用した場合の上記問題点を考慮して、セットアップ用のフィルタを使用することなく、光源の入力電流値を調整してセットアップを行う画像読取装置が開示されている。
【特許文献１】特開２００４−２４８１７３号公報（平成１６年９月２日公開）
【特許文献２】特開２００４−２４８１９０号公報（平成１６年９月２日公開）
【発明の開示】
【発明が解決しようとする課題】
【０００６】
しかしながら、上記従来の画像読取装置のセットアップ方法では、以下に示すような問題点を有している。
すなわち、特許文献２に開示された画像読取装置では、セットアップフィルタを用いることなく、光源に入力する電流値を絞ってセットアップを行っているため、セットアップ用のフィルタを使用した場合の問題は発生しない。しかし、光源に対する入力電流を絞った場合には、個々のＬＥＤの電流および光量のリニアリティーがずれて波長がシフトしてしまうため、照度ムラ等の問題が発生するおそれがある
本発明の課題は、適正なセットアップを実施するために必要な光量を確保しつつ、光検出部におけるオーバーフローを回避して適正なセットアップを行うことが可能な画像読取装置を提供することにある。
【課題を解決するための手段】
【０００７】
第１の発明に係る画像読取装置は、フィルムに対して光を照射して透過した光の量を検出してフィルムに現像された画像を読み取る画像読取装置であって、光源装置と、光検出部と、制御部と、を備えている。光源装置は、フィルムに対して光を照射する。光検出部は、フィルムを透過した光の量を検出するとともに、セットアップを行う際には光源装置から照射される光を直接検出する。制御部は、セットアップを行う際には、光検出部において検出される光の量が所定の蓄積光量になるように、光源装置における光の照射開始および照射停止の少なくとも一方のタイミングを制御する。
【０００８】
ここでは、画像読取装置においてセットアップを行う際に、セットアップ用のフィルタ等を使用することなく光源装置からの光を光検出部において直接検出する場合において、光検出部がオーバーフローしないように、光源装置における光の照射開始（点灯）および照射停止（消灯）のうち少なくともいずれか一方のタイミングを制御している。
ここで、本発明に係る画像読取装置は、例えば、写真処理装置や画像処理装置等に搭載されており、ポジフィルムやネガフィルム等に現像された画像を読み取るフィルムスキャナ等が含まれる。また、上記光源装置には、例えば、Ｒ・Ｇ・Ｂの各色ごとに設けられたＬＥＤ（Light-Emitting Diode）等が含まれる。さらに、上記光検出部としては、例えば、電荷結像素子（ＣＣＤ（Charge Coupled Device））等が含まれる。そして、上記所定の蓄積光量とは、実際に画像読み取りを行う場合にフィルムを透過してくる光の量と同等の光量を意味しており、例えば、光源装置から照射される光の１／１０程度の光量をいう。
【０００９】
通常、このような画像読取装置においてセットアップを行う場合には、実際にフィルムを透過してくる光の量と同等の光量を確保するとともに光検出部におけるオーバーフローを防止するために、画像を読み取るフィルムと同等の遮光性能を有するセットアップ用フィルタを用いてセットアップを行ったり、光源装置に含まれる光源に対する供給電流を絞って光量を落としたりしてセットアップを行っている。これにより、光検出部において所定の蓄積光量を確保するとともに、光源装置から照射される光が直接的に光検出部において検出されることで光検出部がオーバーフローしてしまうことを防止している。しかし、セットアップフィルタを用いた従来のセットアップの方法では、セットアップ用のフィルタをセットアップの度にセットする必要があるため面倒である。一方、光源に対する供給電流を絞る従来のセットアップ方法では、電流を絞ったことで光源の個々の電流、光量のリニアリティーがずれて波長がシフトすることから、適正なセットアップを実施できなくなるおそれがある。
【００１０】
そこで、本発明の画像読取装置では、光源装置の点灯および消灯のうち少なくともいずれか一方のタイミングを制御することで、光検出部において所定の光量が蓄積されるようにしている。
これにより、光検出部において検出される所定の蓄積光量、つまり実際にフィルムを透過してくる光の量と同等の光量になるようにしてセットアップを行うことができるため、実際の光の検出状態に近い状態で高精度なセットアップを行うことができる。そして、このように実際の透過光量と同等の蓄積光量を確保してセットアップを行うことにより、光検出部における蓄積光量が大きくなり過ぎてオーバーフローしてしまうことを回避できる。この結果、実際のフィルムに近い透過率を有するセットアップ用のフィルタ等を毎回セットしたり、光源への供給電流を絞ったりすることなく、効率よくセットアップを行うことが可能な画像読取装置を提供することが可能になる。
【００１１】
第２の発明に係る画像読取装置は、第１の発明に係る画像読取装置であって、制御部は、光源装置における光の照射開始のタイミングだけを制御する。
ここでは、所定の蓄積光量になるように、光源装置における光の照射開始（点灯）のタイミングだけを制御している。
通常、光検出部における光の検出は、所定パルス単位で行われることから、所定時間が経過すると自動的に光の検出は停止される。
【００１２】
本発明に係る画像読取装置では、この光検出部における光検出の停止のタイミングを基準にして、光源装置における光を照射するタイミングを制御する。
これにより、光源装置の点灯タイミングだけを制御するだけで所定の蓄積光量を確保できるため、簡易な制御によって適正なセットアップを行うことができる。
第３の発明に係る画像読取装置は、第１の発明に係る画像読取装置であって、制御部は、光源装置における光の照射停止のタイミングだけを制御する。
【００１３】
ここでは、所定の蓄積光量になるように、光源装置における光の照射停止（消灯）のタイミングだけを制御している。
通常、光源装置における光の照射は、所定パルス単位で行われることから、所定時間が経過するたびに自動的に光の照射が開始される。
本発明に係る画像読取装置では、この光源装置における光照射のタイミングを基準にして、光源装置における光の照射を停止するタイミング、つまり消灯するタイミングを制御する。
【００１４】
これにより、光源装置の消灯タイミングだけを制御するだけで所定の蓄積光量を確保できるため、簡易な制御によって適正なセットアップを行うことができる。
第４の発明に係る画像読取装置は、第１から第３の発明のいずれか１つに係る画像読取装置であって、光源装置は、ＲＧＢの各色に対応する光源を有しており、制御部は、各色に対応する光源ごとにセットアップを行う。
【００１５】
ここでは、光源装置に含まれるＲ・Ｇ・Ｂ３色に対応するそれぞれの光源について、光検出部における検出光量が所定の蓄積光量になるように光源装置の光の照射開始あるいは照射停止のタイミングを制御してセットアップを行う。
これにより、各色ごとに光検出部における検出感度が異なる場合でも、各色ごとに適正なセットアップを実施することで、オーバーフローが発生しない適正な蓄積光量を確保しつつ、色バランス調整も行ったセットアップを実施することが可能になる。
【００１６】
第５の発明に係る画像読取装置は、第１から第３の発明のいずれか１つに係る画像読取装置であって、光源装置は、ＲＧＢの各色に対応する光源を有しており、光源は、光検出部における各色の検出感度に対応する数だけ配置されている。
ここでは、光検出部におけるＲ・Ｇ・Ｂ各色の検出感度に合わせて、各色に対応する光源の数を、検出感度の高い色については少なく、検出感度が低い色については多く配置している。
【００１７】
これにより、ＣＣＤ等の光検出部における各色の検出感度が異なる場合でも、光源から照射される元の光量に差をつけることにより、各光検出部におけるそれぞれの色の光の読取り時間を一致させることができるとともに、各色同一の条件下であっても適正なセットアップを行うことが可能になる。
【発明の効果】
【００１８】
第１の発明に係る画像読取装置によれば、実際のフィルムに近い透過率を有するセットアップ用のフィルタ等を毎回セットしたり、光源への供給電流を絞ったりすることなく、効率よくセットアップを行うことが可能になる。
第２の発明に係る画像読取装置によれば、簡易な制御によって適正なセットアップを行うことができる。
【００１９】
第３の発明に係る画像読取装置によれば、簡易な制御によって適正なセットアップを行うことができる。
第４の発明に係る画像読取装置によれば、セットアップをより高精度に行うことが可能になる。
第５の発明に係る画像読取装置によれば、各色同一の条件下であっても適正なセットアップを行うことが可能になる。
【発明を実施するための最良の形態】
【００２０】
本発明の一実施形態に係る画像読取装置を搭載した写真処理装置について、図１〜図５（ｂ）を用いて説明すれば以下の通りである。
［写真処理装置１全体の構成］
本実施形態に係る写真処理装置１は、ネガフィルム等から読み取った画像の画像データに基づいて、感光材料に対して焼き付け、現像および乾燥処理を施すことにより、写真プリントを行うデジタル写真プリンタであって、図１に示すように、画像処理装置１０と画像露光現像装置２０とを備えている。
【００２１】
［画像処理装置１０の構成］
画像処理装置１０は、カラーネガフィルムやカラーポジフィルム等を含むフィルムＦに現像された画像を読み取り、読み取った画像に対して画像処理を行う。そして、画像処理装置１０は、図１に示すように、画像読取装置１１と、主制御装置１２と、モニタ１３と、を備えている。
【００２２】
画像読取装置１１は、フィルムＦを走査して、これに現像された画像を読み取るとともに、読み取った画像情報をデジタル画像に変換する。
主制御装置１２は、画像処理装置１０を含む写真処理装置１全体の動作を制御する装置であって、制御部１２ａ（図３および図４参照）を備えている。
モニタ１３は、画像読取装置１１において読み取られた画像情報を表示する。
【００２３】
［画像露光現像装置２０の構成］
画像露光現像装置２０は、図３および図４に示すように、露光装置２１と、現像処理装置２２と、乾燥処理部２３と、回収部２４と、搬送装置２５と、を備えている。
露光装置２１は、画像読取装置１１において取得された画像情報に基づいて、感光材料に対して露光処理を施す。
【００２４】
現像処理装置２２は、図４に示すように、現像液や定着液等を含む複数の処理液を貯留した処理槽２２ａを備えており、露光装置２１において露光処理された感光材料を処理槽２２ａに浸漬することで感光材料に対して現像処理を行う。
乾燥処理部２３は、現像処理装置２２において各処理槽内を通過する際に複数の処理液の中に浸漬されて現像処理された感光材料に対して風を吹き付ける方法等によって乾燥させる。
【００２５】
回収部２４は、図１に示すように、大判の感光材料４０を回収するためのトレー５２と、小判の感光材料４０をオーダー毎に仕分けて回収する仕分部５４等を備えており、乾燥処理部２３において乾燥された感光材料をオーダー、サイズ毎に仕分けて回収する。仕分部５４は、小判感光材料の排出方向に対して直交方向に移動するコンベア５５と、このコンベア５５によって運ばれてくる小判感光材料をオーダー毎に仕分ける仕分装置５６とを有している。仕分装置５６は、上下方向に移動可能に配設された複数の受け皿５７を備えており、この受け皿５７を上下方向に移動させることで、コンベア５５によって搬送されてくる小判感光材料を各受け皿５７へオーダー毎に振り分ける。
【００２６】
搬送装置２５は、マガジン４２から感光材料を引き出して、露光装置２１、現像処理装置２２および乾燥処理部２３を経由して回収部２４まで搬送する。
［画像読取装置１１の構成］
本実施形態の画像読取装置１１は、図２に示すように、光源部（光源装置）１１０、撮像部１２０、結像部１３０およびフィルム搬送部１４０を備えている。
【００２７】
光源部１１０は、フィルム搬送部１４０によって搬送されるフィルムＦに対してＲ・Ｇ・Ｂ３色の光を照射する。
撮像部１２０は、結像部１３０によって結像された光を検出して、フィルムＦに現像された画像を読み取る。
結像部１３０は、フィルムＦを透過した光を撮像部１２０に結像させる。
【００２８】
フィルム搬送部１４０は、フィルムＦを図中に矢印Ｙで示す所定方向に搬送する。
（光源部１１０の構成）
光源部１１０は、互いに異なるピーク波長を有する光波長域の光を発光する複数の発光ダイオード（以下、ＬＥＤと示す。）素子を備えている。具体的には、光源部１１０は、図２に示すように、赤外光ＩＲおよび赤色光Ｒを発光する赤外赤色ＬＥＤ素子（光源）１１１Ｒ、緑色光Ｇを発光する緑色ＬＥＤ素子（光源）１１１Ｇおよび青色光Ｂを発光する青色ＬＥＤ素子（光源）１１１Ｂを備えている。さらに、光源部１１０は、レンズ１１２Ｒ・１１２Ｇ・１１２Ｂ・１１５、ダイクロイックミラー１１３・１１４およびＬＥＤ温調部１１８を備えている。
【００２９】
各ＬＥＤ素子１１１Ｒ・１１１Ｇ・１１１Ｂは、いずれも複数のＬＥＤを主走査方向に略一直線上に並べたＬＥＤライン光源であり、それぞれＬＥＤ駆動部１１６Ｒ・１１６Ｇ・１１６Ｂを介して制御部１２ａに接続されている（図３参照）。
赤外赤色ＬＥＤ素子１１１Ｒは、複数のポジフィルム用ＬＥＤ素子１１１Ｒ1と、複数のネガフィルム用ＬＥＤ素子１１１Ｒ2と、複数のフィルム傷検出用ＬＥＤ素子１１１IRと、を備えている。
【００３０】
ポジフィルム用ＬＥＤ素子１１１Ｒ1は、約６６０ｎｍのピーク波長を有する光波長域の光Ｒを発光する。ネガフィルム用ＬＥＤ素子１１１Ｒ2は、約７００ｎｍのピーク波長を有する光波長域の光Ｒを発光する。フィルム傷検出用ＬＥＤ素子１１１IRは、約８７０〜８８０ｎｍのピーク波長を有する光波長域の光ＩＲを発光する。そして、これらの各ＬＥＤ素子１１１Ｒ1・１１１Ｒ2・１１１IRは、それぞれがライン状に併設されるように、主走査方向に交互に配置されている。なお、光源部１１０から照射される光ＩＲは、フィルムの傷を検出し、読み取り画像に含まれる傷の部分を補正するために用いられる。
【００３１】
また、赤外赤色ＬＥＤ素子１１１Ｒは、制御部１２ａからの指令に従って、ポジフィルムＦおよびネガフィルムＦの傷を検出する場合には、各フィルム傷検出用ＬＥＤ素子１１１IRを点灯させる。そして、ポジフィルムＦを読み取る場合、あるいはポジフィルムＦのセットアップ調整を行う場合には、各ポジフィルム用ＬＥＤ素子１１１Ｒ1を点灯させる。また、ネガフィルムＦを読み取る場合、あるいはネガフィルムＦのセットアップ調整を行う場合には、各ネガフィルム用ＬＥＤ素子１１１Ｒ2を点灯させる。
【００３２】
緑色ＬＥＤ素子１１１Ｇは、約５４０ｎｍのピーク波長を有し、主走査方向に配置された複数の緑色ＬＥＤを備えており、制御部１２ａからの指令に従って、ポジフィルムＦおよびネガフィルムＦを読み取る場合や、ポジフィルムＦおよびネガフィルムＦのセットアップ調整を行う場合に各緑色ＬＥＤを点灯させる。
青色ＬＥＤ素子１１１Ｂは、約４６０ｎｍのピーク波長を有し、主走査方向に配置された複数の青色ＬＥＤを備えており、制御部１２ａからの指令に従って、ポジフィルムＦおよびネガフィルムＦを読み取る場合や、ポジフィルムＦおよびネガフィルムＦのセットアップ調整を行う場合に各青色ＬＥＤを点灯させる。
【００３３】
また、本実施形態の画像読取装置１１では、各色ごとに設けられたＣＣＤ１２１Ｒ・１２１Ｇ・１２１Ｂの検出感度に応じて、各色のＬＥＤ素子１１１Ｒ・１１１Ｇ・１１１Ｂの個数を調整して配置している。具体的には、ＣＣＤによる検出感度は、赤（Ｒ）が高く、緑（Ｇ）が低く、青（Ｂ）がその間となることから、Ｒ，Ｇ，ＢのＬＥＤ素子１１１Ｒ・１１１Ｇ・１１１Ｂは、２：８：１０の比率で配置する。これにより、ＣＣＤ１２１Ｒ・１２１Ｇ・１２１Ｂにおける色ごとの検出感度による差を低減して、適正な光量調整（セットアップ）を行うことができる。
【００３４】
レンズ１１２Ｒ・１１２Ｇ・１１２Ｂは、それぞれＬＥＤ素子１１１Ｒの・ＬＥＤ素子１１１Ｇ・ＬＥＤ素子１１１Ｂに対応してその近傍に配置されており、それぞれ赤外赤色ＬＥＤ素子１１１Ｒ・緑色ＬＥＤ素子１１１Ｇ・青色ＬＥＤ素子１１１Ｂからの拡散光を略平行にする。
ダイクロイックミラー１１３は、青色ＬＥＤ素子１１１Ｂからレンズ１１２Ｂにて略平行にされた光Ｂを反射するとともに、赤外赤色ＬＥＤ素子１１１Ｒからレンズ１１２Ｒにおいて略平行にされた光Ｒ・ＩＲを透過する。
【００３５】
ダイクロイックミラー１１４は、ダイクロイックミラー１１３を介して到来する光Ｒ・ＩＲ・Ｂを反射するとともに、緑色ＬＥＤ素子１１１Ｇからレンズ１１２Ｇにて略平行にされた光Ｇを透過する。
レンズ１１５は、ダイクロイックミラー１１４の近傍に配置されており、ダイクロイックミラー１１４からの光Ｒ・ＩＲ・Ｇ・ＢをフィルムＦに結像させる。
【００３６】
（撮像部１２０の構成）
撮像部１２０は、図２に示すように、可視光用ＣＣＤ（撮像素子、光検出部）１２１、赤外光用ＣＣＤ１２２およびダイクロイックミラー１２３を備えている。
可視光用ＣＣＤ１２１は、赤色用ＣＣＤ１２１Ｒ・緑色用ＣＣＤ１２１Ｇ・青色用ＣＣＤ１２１Ｂを含むように一体的に構成されている。
【００３７】
ダイクロイックミラー１２３は、可視光用ＣＣＤ１２１および赤外光用ＣＣＤ１２２の近傍に配置されており、光源部１１０からの光のうち可視光を反射することができるとともに赤外光を透過させる。これにより、ダイクロイックミラー１２３を介して到来する反射光をＣＣＤ１２１へと導くことができるとともに、ダイクロイックミラー１２３を介して到来する透過光を赤外光用ＣＣＤ１２２へと照射することができる。
【００３８】
可視光用ＣＣＤ１２１におけるＣＣＤ１２１Ｒ・１２１Ｇ・１２１Ｂは、それぞれＬＥＤ素子１１１Ｒ・１１１Ｇ・１１１Ｂから照射される可視光Ｒ・Ｇ・Ｂを受光して電気信号に変換する。また、赤外光用ＣＣＤ１２２は、ＬＥＤ素子１１１IRからの赤外光ＩＲを受光して電気信号に変換する。
ＣＣＤ１２１Ｒ・１２１Ｇ・１２１Ｂは、それぞれＣＣＤ駆動部１２４Ｒ・１２４Ｇ・１２４Ｂ、ゲイン調整部１２５Ｒ・１２５Ｇ・１２５ＢおよびＡ／Ｄ変換装置１２６Ｒ・１２６Ｇ・１２６Ｂを介して制御部１２ａに接続されている（図３参照）。
【００３９】
（結像部１３０の構成）
結像部１３０は、図２に示すように、フィルムＦと撮像部１２０との間における光路上に配置されており、フィルムＦからの透過光を可視光用ＣＣＤ１２１および赤外光用ＣＣＤ１２２に結像させる結像レンズ１３１を含んでいる。
（フィルム搬送部１４０の構成）
フィルム搬送部１４０は、図２に示すように、複数の搬送ローラ対１４１を備えている。そして、フィルム搬送部１４０は、各搬送ローラ対１４１におけるローラ間にフィルムＦを挟持させた状態で各搬送ローラ対１４１を図中矢印方向に回転させることでフィルムＦをＹ方向に搬送する。
【００４０】
（画像読取装置１１を含む制御ブロック）
画像読取装置１１は、図３に示すように、モニタ１３および露光装置２１とともに、記憶部９３および処理部９４を含むように構成された制御部１２ａに対して接続されている。なお、ここでは赤外光用ＣＣＤ１２２等については図示を省略している。
画像読取装置１１では、上述のように、ＬＥＤ素子１１１Ｒ・１１１Ｇ・１１１Ｂが、それぞれＬＥＤ駆動部１１６Ｒ・１１６Ｇ・１１６Ｂを介して制御部１２ａに接続されている。一方、ＣＣＤ１２１Ｒ・１２１Ｇ・１２１Ｂは、それぞれＣＣＤ駆動部１２４Ｒ・１２４Ｇ・１２４Ｂ、ゲイン調整部１２５Ｒ・１２５Ｇ・１２５ＢおよびＡ／Ｄ変換装置１２６Ｒ・１２６Ｇ・１２６Ｂを介して制御部１２ａに接続されている。
【００４１】
また、画像読取装置１１では、ＬＥＤ温調部１１８等も制御部１２ａに接続されている。
ＬＥＤ駆動部１１６Ｒ・１１６Ｇ・１１６Ｂは、それぞれ制御部１２ａからの指令に従って、ＬＥＤ素子１１１Ｒ・１１１Ｇ・１１１Ｂを駆動するとともに、ＬＥＤ素子１１１Ｒ・１１１Ｇ・１１１Ｂの入力電流を制御する。
【００４２】
ＣＣＤ駆動部１２４Ｒ・１２４Ｇ・１２４Ｂは、それぞれ制御部１２ａからの指令に従って、ＬＥＤ素子１１１Ｒ・１１１Ｇ・１１１Ｂを駆動する。
ゲイン調整部１２５Ｒ・１２５Ｇ・１２５Ｂは、それぞれ制御部１２ａからの指令に従って、ＣＣＤ１２１Ｒ・１２１Ｇ・１２１Ｂ出力のゲインを制御するとともに、ＣＣＤ１２１Ｒ・１２１Ｇ・１２１Ｂからの出力信号を、Ａ／Ｄ変換装置１２６Ｒ・１２６Ｇ・１２６Ｂに対して送信する。
【００４３】
Ａ／Ｄ変換装置１２６Ｒ・１２６Ｇ・１２６Ｂは、それぞれゲイン調整部１２５Ｒ・１２５Ｇ・１２５Ｂから送信されたアナログ信号をデジタル信号に変換する。
ＬＥＤ温調部１１８は、各ＬＥＤ素子１１１Ｒ・１１１Ｇ・１１１Ｂの温度が所定の範囲内の温度になるように調整するために設けられており、冷却ファン等を含む冷却装置１１８ａ、温度センサ１１８ｂおよび温調回路１１８ｃを有している。
【００４４】
冷却装置１１８ａは、ＬＥＤ素子１１１Ｒ・１１１Ｇ・１１１Ｂの近傍に配置されており、温調回路１１８ｃからの指令に従って、ＬＥＤ素子１１１Ｒ・１１１Ｇ・１１１Ｂを冷却する。温度センサ１１８ｂは、ＬＥＤ素子１１１Ｒ・１１１Ｇ・１１１Ｂの温度を検出する。温調回路１１８ｃは、温度センサ１１８ｂの検出温度に基づいて冷却装置１１８ａの冷却動作を制御する。これにより、ＬＥＤ温調部１１８は、ＬＥＤ素子１１１Ｒ・１１１Ｇ・１１１Ｂを、例えば、４５℃±１℃程度の所定温度のまま維持することができる。
【００４５】
記憶部９３は、ＲＡＭおよびＲＯＭ等によって構成されており、ＣＣＤ１２１Ｒ・１２１Ｇ・１２１Ｂにおけるそれぞれの基準出力値や、後述する画像読取装置１１のセットアップを行う際の基準蓄積光量、各ＬＥＤ素子１１１Ｒ・１１１Ｇ・１１１Ｂの点灯、消灯のタイミング、各ＣＣＤ１２１Ｒ・１２１Ｇ・１２１Ｂを駆動するパルス数等の情報を記憶する。
【００４６】
処理部９４は、種々の論理回路や演算回路、レジスタ、プロセッサ等によって構成されており、画像読取装置１１から受信した画像情報に基づいて、最適光量化（適正光量調整）、色バランス調整、シェーディング調整等を含むセットアップや各種画像処理等を行う。そして、処理部９４は、セットアップ調整後に画像処理等が施された画像情報を、露光装置２１に対して送信する。
【００４７】
＜本写真処理装置１における処理の流れ＞
本実施形態の写真処理装置１における処理工程について、図４を用いて説明すれば以下の通りである。なお、ここでは、カラープリント処理を行う場合を例に挙げて説明するが、モノクロプリントであっても同様である。
本実施形態の写真処理装置１が備えている画像処理装置１０では、まず、画像読取装置１１において、読み取り対象となるフィルムＦに対して光源部１１０（図２および図３参照）から光を照射し、この透過光を検出することで、カラーネガフィルムＦ等に現像された画像情報を読み取る。制御部１２ａは、この画像読取装置１１において読み取られた画像情報に対して画像処理を行い、画像処理後のデジタル画像を露光データとして決定する。
【００４８】
一方、本実施形態の写真処理装置１が備えている画像露光現像装置２０では、搬送装置２５が、マガジン４２から感光材料４０を引き出して下流側へと搬送する。感光材料４０は、マガジン４２から引き出された後、図示しないカッタによって所定のサイズごとに切断され、露光装置２１において、画像読取装置１１において取得された画像情報に基づいて露光処理が施される。
【００４９】
現像処理装置２２では、露光処理された感光材料４０に対して、各処理槽２２ａにおいて現像、定着、水洗等の種々の化学的処理を行う。そして、乾燥処理部２３において、乾燥処理を行い、回収部２４において、大判の感光材料４０をトレー５２（図１参照）に回収する一方、小判の感光材料４０を仕分部５４（図１参照）によってオーダー毎に仕分けて回収する。
【００５０】
以上のような写真処理装置１全体としての処理は、主制御装置１２によって制御されている。主制御装置１２は、処理部９４等の動作を制御するように、電源等（図示せず）に接続され、写真処理装置１全体の制御を行う。
＜画像読取装置１１におけるセットアップ＞
ここでは、本実施形態の写真処理装置１に搭載された画像読取装置１１におけるセットアップを行う際の処理の流れについて、図５（ａ）および図５（ｂ）を用いて説明すれば以下の通りである。なお、ここで説明する写真処理装置１のセットアップとは、画像読取装置１１においてフィルムＦから画像情報を安定して取得するために、例えば、毎日の運転開始時や所定の運転時間経過毎に行われる画像読取装置１１に含まれる光源部１１０や撮像部１２０、結像部１３０等の微調整をいう。そして、本実施形態に係る画像読取装置１１では、ＮＤフィルタ等のセットアップ用のフィルタを使用することなく、セットアップを行うものとする。
【００５１】
すなわち、本実施形態の写真処理装置１では、制御部１２ａが、各ＬＥＤ素子１１１Ｒ・１１１Ｇ・１１１Ｂに対応するＣＣＤ１２１Ｒ・１２１Ｇ・１２１Ｂのそれぞれにおいて検出される蓄積光量が所定の基準光量と同等のレベルになるように、各ＬＥＤ素子１１１Ｒ・１１１Ｇ・１１１Ｂにおける光照射を停止する（消灯する）タイミングを制御する。
【００５２】
なお、この基準光量とは、画像読取装置１１において実際にフィルムＦをセットして画像の読み取りを行う際に、フィルムＦを透過した後、ＣＣＤ１２１Ｒ・１２１Ｇ・１２１Ｂにおいて検出される光量（例えば、ＬＥＤ素子１１１Ｒから照射される光量を１／１０に減光した光量）を意味している。
（ＬＥＤ素子の消灯タイミング制御）
具体的には、制御部１２ａは、図５（ａ）に示すように、例えば、ＣＣＤ１２１Ｒを駆動するためのパルス（５７７μｓ）ごとに、ＣＣＤ１２１Ｒの検出開始のタイミングとほぼ同時にＬＥＤ素子１１１Ｒからの光照射を開始（点灯）させ、上述した基準光量と同等の蓄積光量がＣＣＤ１２１Ｒに蓄えられたタイミングで、ＬＥＤ素子１１１Ｒからの光の照射を停止（消灯）させる。換言すれば、制御部１２ａは、通常の画像読取時にＣＣＤ１２１Ｒにおいて検出される基準光量と同じ量の蓄積光量、つまり図５（ａ）に示す斜線部の面積が、図５（ａ）において一点鎖線で示す長方形の面積と同じ面積になるように、ＬＥＤ素子１１１Ｒの消灯のタイミングを制御する。この場合には、制御部１２ａでは、ＬＥＤ素子１１１Ｒを消灯する際には、一般的なＬＥＤが有する徐々に光量が低下していくという特性を考慮してタイミング制御を行う。
【００５３】
ここで、通常の画像読み取り時には、各ＬＥＤ素子１１１Ｒ等からは図５（ａ）に２点鎖線で示す光量の光が照射されており、各ＣＣＤ１２１Ｒ等においては光がフィルムＦを介して検出されることで、図５（ａ）中に一点鎖線で示す基準光量が検出される。
これに対し、本実施形態の画像読取装置１１では、上述のように、実際のフィルムＦと同等の光透過特性を有するセットアップ用フィルタをセットすることなくセットアップを行うことから、制御部１２ａは、実際にフィルムＦをセットした状態でＣＣＤ１２１Ｒにおいて検出される基準光量を基準にして所定時間経過後にはＬＥＤ素子１１１Ｒを消灯する。
【００５４】
これにより、セットアップ用フィルタ等を用いることなくセットアップを行う場合でも、実際の画像読み取り時における基準光量と同等の蓄積光量になるようにＬＥＤ素子１１１Ｒ等の消灯のタイミング制御を行うため、基準光量と同等の蓄積光量を確保して高精度なセットアップを実施することができる。そして、セットアップ用フィルタを使用しないため、セットアップを行うたびにセットアップ用フィルタをセットする手間を省くことができる。この結果、セットアップを効率よく実施することができる。さらに、ＣＣＤ１２１Ｒ等においては、ＬＥＤ素子１１１Ｒ等から照射される光の約１／１０の光量が１パルス（５７７μｓ）分蓄積された基準光量と同等の蓄積光量しか検出されないため、検出された光量が大き過ぎてＣＣＤ１２１Ｒがオーバーフローしてしまうことを確実に回避することができる。
【００５５】
（ＬＥＤ素子の点灯タイミング制御）
また、本実施形態の画像読取装置１１では、図５（ｂ）に示すように、制御部１２ａが、ＣＣＤ１２１Ｒにおいて検出される光量が所定の蓄積光量になるように、ＬＥＤ素子１１１Ｒの点灯のタイミングだけを制御することもできる。そして、制御部１２ａにおいて、上述した消灯のタイミング制御と、ここで説明する点灯のタイミング制御とを適宜切り換えながらセットアップを行う。
【００５６】
この場合には、図５（ａ）に示すＬＥＤ素子１１１Ｒの消灯タイミング制御と比較して、上述した徐々に光量が低下していくというＬＥＤ素子の特性を考慮しなくても、点灯タイミングだけを制御することで良好なセットアップを実施することができる。
すなわち、ＣＣＤ１２１Ｒは、上述したように、所定のパルス数ごとに光の検出を行っており、図５（ｂ）に示す例では、所定時間（５７７μｓ）が経過するごとに光の検出を停止している。このため、ＣＣＤ１２１Ｒにおける光の検出が開始されてから５７７μｓが経過するとＬＥＤ素子１１１Ｒから光が照射されていたとしても、その後の光量はＣＣＤ１２１Ｒにおいて検出されない。
【００５７】
本実施形態の画像読取装置１１では、制御部１２ａが、ＣＣＤ１２１Ｒにおける光の検出が停止されるタイミングを基準にして、ＣＣＤ１２１Ｒにおいて所定の蓄積光量が蓄えられるようにＬＥＤ素子１１１Ｒの点灯のタイミングだけを制御する。
これにより、より簡易な制御により、セットアップ用フィルタ等をセットすることなくセットアップを行う場合において、実際の画像読み取り時と同等の基準光量を確保しつつ、検出された光量が大き過ぎてＣＣＤ１２１Ｒがオーバーフローしてしまうことを確実に回避することができる。そして、セットアップ用フィルタを使用しないため、セットアップを行うたびにセットアップ用フィルタをセットする手間を省くことができる。この結果、セットアップを効率よく実施することができる。
【００５８】
なお、本実施形態では、他のＬＥＤ素子１１１Ｇ・１１１ＢおよびＣＣＤ１２１Ｇ・１２１Ｂについても同様に、上述したＬＥＤ素子１１１Ｇ・１１１Ｂの点灯あるいは消灯のタイミング制御によってセットアップが実施される。
本実施形態の写真処理装置１では、以上のように、画像読取装置１１における最適光量化（適正光量調整）に関するセットアップを行った後、さらに色バランス調整やシェーディング調整等を実施することで、光源の照度ムラやうねりに起因する画像読取不良の発生を防止して高精度な画像読み取りを実施することができる。
【００５９】
［本写真処理装置１の特徴］
（１）
本実施形態の写真処理装置１では、制御部１２ａが、画像読取装置１１においてセットアップを行う際には、図３および図５（ａ）、図５（ｂ）に示すように、ＣＣＤ１２１Ｒ・１２１Ｇ・１２１Ｂにおいて検出される光量が所定の蓄積光量になるようにＬＥＤ素子１１１Ｒ・１１１Ｇ・１１１Ｂの消灯あるいは点灯のタイミングを制御する。
【００６０】
通常、このような画像読取装置においてセットアップを行う際には、フィルムＦの替わりに、フィルムＦと同等の光透過レベルを有するＮＤフィルタ等のセットアップ用フィルタをセットしてＬＥＤ素子から光を照射し、ＣＣＤにおいてその透過光を検出していた。しかし、このようなセットアップ用フィルタを用いたセットアップでは、セットアップ用フィルタのセットによってＣＣＤにおけるオーバーフローを防止できるものの、セットアップを行うたびごとに毎回フィルタをセットする必要があり、面倒であった。また、セットアップ用フィルタを使用しないでセットアップを行う場合には、従来はＬＥＤ素子等の光源への供給電流を絞って光の照射量を減らす等の措置が必要となる。しかし、このようにＬＥＤ素子への供給電流を絞った場合には、電流を絞ったことで光源の個々の電流、光量のリニアリティーがずれてＬＥＤ素子１１１Ｒ等から照射される光の波長がシフトすることから、適正なセットアップを実施できなくなるおそれがある。
【００６１】
そこで、本実施形態の写真処理装置１では、セットアップ用フィルタを用いることなく、制御部１２ａが、ＬＥＤ素子１１１Ｒ・１１１Ｇ・１１１Ｂの消灯あるいは点灯のタイミングを制御することにより、ＣＣＤ１２１Ｒ・１２１Ｇ・１２１Ｂがオーバーフローすることを防止しつつ、所定の基準光量を確保している。
これにより、セットアップ用フィルタを用いたセットアップ方法と比較して、セットアップ用フィルタをセットする手間を省いて画像読取装置１１のセットアップを効率よく行うことができる。一方、本実施形態では、ＬＥＤ素子１１１Ｒ・１１１Ｇ・１１１Ｂへの供給電流を絞るセットアップ方法のように電流を絞ったことで光源の個々の電流、光量のリニアリティーがずれてＬＥＤ素子１１１Ｒ等から照射される光の波長がシフトする等の問題は生じない。よって、実際にフィルムＦに対して照射された光の透過光とほぼ同量の基準光量がＣＣＤ１２１Ｒ等において検出される状態でセットアップを行うことで、ＣＣＤ１２１Ｒ等におけるオーバーフローの発生を回避しつつ、高精度に光量調整等を行って適正なセットアップを実施することができる。
【００６２】
（２）
本実施形態の写真処理装置１では、制御部１２ａが、図５（ａ）に示すように、ＣＣＤ１２１Ｒ等における検出開始タイミングを基準にして、ＬＥＤ素子１１１Ｒ等の消灯のタイミングの制御だけを行う。
これにより、より簡易な制御によって、ＣＣＤ１２１Ｒ等において所定の基準光量を確保しつつ、オーバーフローの発生を回避して、画像読取装置１１の適正なセットアップを実施することが可能になる。
【００６３】
（３）
本実施形態の写真処理装置１では、制御部１２ａが、図５（ｂ）に示すように、ＣＣＤ１２１Ｒ等における検出終了のタイミングを基準にして、ＬＥＤ素子１１１Ｒ等の点灯タイミングの制御だけを行う。
これにより、より簡易な制御によって、ＣＣＤ１２１Ｒ等において所定の基準光量を確保しつつ、ＣＣＤ１２１Ｒ等のオーバーフローの発生を回避して、画像読取装置１１の適正なセットアップを実施することが可能になる。また、ＣＣＤ１２１Ｒ等における光の検出は、所定のパルス数ごとに行われることから、このＣＣＤ１２１Ｒ等における検出終了のタイミングを基準にしてＬＥＤ素子１１１Ｒ等の点灯タイミング制御をすることで、より簡易な制御によって画像読取装置１１のセットアップを実施することができる。
【００６４】
（４）
本実施形態の写真処理装置１では、図２に示すように、光源部１１０がＲ・Ｇ・Ｂ３色のＬＥＤ素子１１１Ｒ・１１１Ｇ・１１１Ｂを、撮像部１２０がＲ・Ｇ・Ｂ３色のＣＣＤ１２１Ｒ・１２１Ｇ・１２１Ｂを備えており、各色ごとに図５（ａ）あるいは図５（ｂ）に示すセットアップを行う。
【００６５】
これにより、ＣＣＤ１２１Ｒ等における各色ごとの検出感度の差等に起因して生じる各色ごとのムラを解消して、より高精度なセットアップを実施することができる。
（５）
本実施形態の写真処理装置１では、図２に示すように、光源部１１０がＲ・Ｇ・Ｂ３色のＬＥＤ素子１１１Ｒ・１１１Ｇ・１１１Ｂを、撮像部１２０がＲ・Ｇ・Ｂ３色のＣＣＤ１２１Ｒ・１２１Ｇ・１２１Ｂを備えており、ＣＣＤ１２１Ｒ等の各色ごとの検出感度に応じてＬＥＤ素子１１１Ｒ・１１１Ｇ・１１１Ｂの数を変えて配置している。
【００６６】
これにより、ＣＣＤ１２１Ｒ・１２１Ｇ・１２１Ｂにおける検出感度が色ごとに異なる場合でも、Ｒ・Ｇ・Ｂ３色のＬＥＤ素子１１１Ｒ・１１１Ｇ・１１１Ｂから照射される元の光量に差をつけることにより、ＣＣＤ１２１Ｒ・１２１Ｇ・１２１Ｂにおけるそれぞれの色の光の読取り時間を５７７μｓｅｃに一致させることができる。
さらに、ＣＣＤ１２１Ｒ等におけるＲ・Ｇ・Ｂの各色ごとの検出感度の差に起因するムラの発生等の問題を解消して、高精度なセットアップを実施することができる。
【００６７】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、ＬＥＤ素子１１１Ｒ・１１１Ｇ・１１１Ｂの点灯および消灯のいずれか一方のタイミングだけを制御してＣＣＤ１２１Ｒ・１２１Ｇ・１２１Ｂにおける検出光量が所定の蓄積光量になるように制御する例を挙げて説明した。しかし、本発明はこれに限定されるものではない。
【００６８】
例えば、図６に示すように、所定の基準光量と同等の蓄積光量になるように、ＬＥＤ素子１１１Ｒ・１１１Ｇ・１１１Ｂの点灯および消灯の両方のタイミングを制御した場合でも、必要な基準光量を確保しつつ、ＣＣＤ１２１Ｒ・１２１Ｇ・１２１Ｂにおけるオーバーフローを回避して適正なセットアップを行うことができるという上記と同様の効果を得ることができる。
【００６９】
ただし、上記実施形態のように、ＬＥＤ素子１１１Ｒ・１１１Ｇ・１１１Ｂの点灯および消灯のうちいずれか一方だけのタイミングを制御することは、タイミングを制御する対象が１つだけになることから制御が容易になる点でより好ましい。
（Ｂ）
上記実施形態では、Ｒ・Ｇ・Ｂの各色のＬＥＤ素子１１１Ｒ・１１１Ｇ・１１１Ｂについてそれぞれ上述した点灯あるいは消灯のタイミング制御によってセットアップを行う例を挙げて説明した。しかし、本発明はこれに限定されるものではない。
【００７０】
例えば、１つの色に対応するＬＥＤ素子およびＣＣＤについて、上述した点灯あるいは消灯のタイミング制御を行って、セットアップを行ってもよい。特に、上記実施形態のように、ＣＣＤにおける各色の検出感度に合わせてＬＥＤ素子の個数に差をつけて配置している場合には、色ごとにセットアップを行うことによるメリットが小さくなることから、特定の色のＬＥＤ素子およびＣＣＤについてのみ、上述したセットアップを行ってもよい。
【００７１】
ただし、上述のように、ＣＣＤにおける検出感度は色によって異なるため、より高精度なセットアップを行うという面では、上記実施形態において説明したように、Ｒ・Ｇ・Ｂの各色ごとのＬＥＤ素子１１１Ｒ・１１１Ｇ・１１１Ｂについてそれぞれ点灯あるいは消灯のタイミング制御を行って、セットアップを行うことがより好ましい。
（Ｃ）
上記実施形態では、ＬＥＤ素子１１１Ｒ・１１１Ｇ・１１１Ｂの点灯のタイミングを制御してＣＣＤ１２１Ｇ・１２１Ｂ・１２１Ｒにおける検出光量を所定の蓄積光量とする制御と、ＬＥＤ素子１１１Ｒ・１１１Ｇ・１１１Ｂの消灯のタイミングを制御してＣＣＤ１２１Ｇ・１２１Ｂ・１２１Ｒにおける検出光量を所定の蓄積光量とする制御とを、適宜切り換えてセットアップを行う例を挙げて説明した。しかし、本発明はこれに限定されるものではない。
【００７２】
例えば、上記実施形態で説明したＬＥＤ素子１１１Ｒ・１１１Ｇ・１１１Ｂの点灯、消灯のタイミング制御（図５（ａ）および図５（ｂ）参照）のうち、いずれか一方の制御だけを行う装置であってもよい。
（Ｄ）
上記実施形態では、光源装置から光を照射する発光素子として、ポジフィルム用の発光素子（ポジフィルム用ＬＥＤ素子１１１Ｒ1）およびネガフィルム用の発光素子（ネガフィルム用ＬＥＤ素子１１１Ｒ2）をそれぞれに設けている例を挙げて説明した。しかし、本発明はこれに限定されるものではない。
【００７３】
例えば、画像を読み取る対象となるフィルムに合わせていずれか１つの発光素子、あるいは複数のフィルムに対して適応可能な１つの発光素子を備えた画像読取装置であってもよい。また、反対に、読み取り対象となるフィルムに合わせて３種類以上の発光素子を備えた画像読取装置であってもよい。
上記いずれの画像読取装置であっても、適正なセットアップを実施するために必要な光量を確保しつつ、光検出部におけるオーバーフローを回避して適正なセットアップを行うことができるという上記と同様の効果を獲ることができる。
【００７４】
（Ｅ）
上記実施形態では、ＣＣＤ１２１Ｒ・１２１Ｇ・１２１Ｂにおける光の検出が５７７μｓごと行われる例を挙げて説明した。しかし、本発明はこれに限定されるものではない。
例えば、画像読取装置における設定能力を上げた場合には５７７μｓよりも短く、設定能力を下げた場合には５７７μｓよりも長くする等、画像読取装置の設定能力に応じて適宜変更することができる。
【産業上の利用可能性】
【００７５】
本発明の画像読取装置は、適正なセットアップを実施するために必要な光量を確保しつつ、光検出部におけるオーバーフローを回避することができるという効果を奏することから、照射された光を検出して画像の読み取りを行う各種読取装置に対して広く適用可能である。
【図面の簡単な説明】
【００７６】
【図１】本発明の一実施形態に係る画像読取装置を搭載した写真処理装置を示す外観図。
【図２】図１の写真処理装置に搭載された画像読取装置の構成を示す概略図。
【図３】図１の写真処理装置の画像読取装置部分を詳しく記載した概略ブロック図である。
【図４】図１に示す写真処理装置の処理工程を説明するための図。
【図５】図１の写真処理装置に搭載された画像読取装置におけるセットアップを行う際の点灯・消灯のタイミングと蓄積光量との関係を示すグラフ。
【図６】本発明の他の実施形態に係る写真処理装置に搭載された画像読取装置におけるセットアップを行う際の点灯・消灯のタイミングと蓄積光量との関係を示すグラフ。
【図７】従来の写真処理装置に搭載された画像読取装置におけるセットアップを行う際の点灯・消灯のタイミングと蓄積光量との関係を示すグラフ。
【符号の説明】
【００７７】
１      写真処理装置
１０      画像処理装置
１１      画像読取装置
１２      主制御装置
１２ａ    制御部
１３      モニタ
２０      画像露光現像装置
２１      露光装置
２２      現像処理装置
２３      乾燥処理部
２４      回収部
４０      感光材料
４２      マガジン
５４      仕分部
５５      コンベア
５６      仕分装置
５７      受け皿
９３      記憶部
９４      処理部
１１０      光源部（光源装置）
１１１Ｒ・１１１Ｇ・１１１Ｂ  ＬＥＤ（光源）
１１２Ｒ・１１２Ｇ・１１２Ｂ  レンズ
１１３・１１４  ダイクロイックミラー
１１５      レンズ
１１８      ＬＥＤ温調部
１１８ａ    冷却装置
１１８ｂ    温度センサ
１１８ｃ    温調回路
１２０      撮像部
１２１      ＣＣＤ（光検出部）
１２１Ｒ・１２１Ｇ・１２１Ｂ  ＣＣＤ（光検出部）
１２２      赤外光用ＣＣＤ
１２３      ダイクロイックミラー
１２４Ｒ・１２４Ｇ・１２４Ｂ  ＣＣＤ駆動部
１２５Ｒ・１２５Ｇ・１２５Ｂ  ゲイン調整部
１２６Ｒ・１２６Ｇ・１２６Ｂ  Ａ／Ｄ変換装置
１３０      結像部
１３１      結像レンズ
１４０      フィルム搬送部
１４１      搬送ローラ対
Ｆ      フィルム
【図１】
2006352501.tif 000003
【図２】
2006352501.tif 000004
【図３】
2006352501.tif 000005
【図４】
2006352501.tif 000006
【図５】
2006352501.tif 000007
【図６】
2006352501.tif 000008
【図７】
2006352501.tif 000009